(57)【要約】      （修正有）【課題】光透過率可変素子の透過率を変更することによる色滲みを低減することができる画像処理装置、画像処理方法及びプログラムを提供する。【解決手段】画像処理装置は、撮像が行われた際の光透過率可変素子の光透過率に関する情報を取得する情報取得手段２１０と、撮像で得られた画像の色滲みを抑圧する補正処理に用いる補正量を取得する補正量取得手段２０３、２０７と、その補正量を用いて、画像に補正処理を施す補正手段２０８と、を有する。補正量取得手段２０３、２０７は、光透過率に関する情報に応じた補正量を取得する。【選択図】図２
2020174317.tif 000002
【特許請求の範囲】
【請求項１】
撮像が行われた際の光透過率可変素子の光透過率に関する情報を取得する情報取得手段と、
前記撮像で得られた画像の色滲みを抑圧する補正処理に用いる補正量を取得する補正量取得手段と、
前記補正量を用いて、前記画像に前記補正処理を施す補正手段と、を有し、
前記補正量取得手段は、前記光透過率に関する情報に応じた前記補正量を取得することを特徴とする画像処理装置。
【請求項２】
前記情報取得手段は、前記光透過率可変素子へ入射した光量と前記光透過率可変素子を透過した光量とに基づいて、前記光透過率可変素子の光透過率を取得し、
前記補正量取得手段は、前記光透過率に応じた前記補正量を取得することを特徴とする請求項１に記載の画像処理装置。
【請求項３】
前記情報取得手段は、給電される電流値に応じて前記光透過率が可変される前記光透過率可変素子の電流特性に基づいて、前記光透過率可変素子の光透過率を取得し、
前記補正量取得手段は、前記光透過率に応じた前記補正量を取得することを特徴とする請求項１に記載の画像処理装置。
【請求項４】
前記情報取得手段は、前記光透過率の可変に応じて温度が変化する前記光透過率可変素子の温度特性に基づいて、前記光透過率可変素子の光透過率を取得し、
前記補正量取得手段は、前記光透過率に応じた前記補正量を取得することを特徴とする請求項１または３に記載の画像処理装置。
【請求項５】
前記情報取得手段は、前記光透過率可変素子の光透過率の制御に用いられた制御パラメータに基づいて、前記光透過率可変素子の光透過率を取得し、
前記補正量取得手段は、前記光透過率に応じた前記補正量を取得することを特徴とする請求項１に記載の画像処理装置。
【請求項６】
前記情報取得手段は、前記光透過率に関する情報として、前記光透過率可変素子の光透過率の制御に用いられた制御パラメータを取得し、
前記補正量取得手段は、前記制御パラメータに応じた前記補正量を取得することを特徴とする請求項１に記載の画像処理装置。
【請求項７】
前記制御パラメータは、印加される電圧に応じて前記光透過率が可変される前記光透過率可変素子に対して前記印加される電圧を設定する情報であることを特徴とする請求項５または６に記載の画像処理装置。
【請求項８】
前記補正手段は、複数の色信号のうち、少なくとも二つの色の信号に対して色滲みを抑圧する前記補正処理を行い、
前記補正量取得手段は、前記複数の色信号のうち、相対的に波長が短い色信号または相対的に波長が長い色信号に対する補正量を取得することを特徴とする請求項１から７のいずれか１項に記載の画像処理装置。
【請求項９】
前記補正量取得手段は、
前記画像から勾配値を求めて、前記勾配値を基に、前記色滲みを抑圧する補正処理に用いる係数を決定する係数決定手段と、
前記決定した係数を、前記光透過率に関する情報に基づいて調整する調整手段と、を有し、
前記調整した係数を、前記補正量として取得することを特徴とする請求項１から８のいずれか１項に記載の画像処理装置。
【請求項１０】
前記補正量取得手段は、前記光透過率可変素子の応答特性に応じた前記補正量を取得することを特徴とする請求項１から９のいずれか１項に記載の画像処理装置。
【請求項１１】
画像を撮像する撮像素子と、
光透過率を変更可能な光透過率可変素子と、
前記撮像が行われた際の前記光透過率可変素子の光透過率に関する情報を取得する情報取得手段と、
前記撮像で得られた画像の色滲みを抑圧する補正処理に用いる補正量を取得する補正量取得手段と、
前記補正量を用いて、前記画像に前記補正処理を施す補正手段と、を有し、
前記補正量取得手段は、前記光透過率に関する情報に応じた前記補正量を取得することを特徴とする撮像装置。
【請求項１２】
発光手段と、
前記発光手段から出射されて前記光透過率可変素子を透過した光を受光する受光手段と、を有し、
前記情報取得手段は、前記発光手段が発光した光量と、前記発光手段から出射されて前記光透過率可変素子を透過した光を前記受光手段が受光した光量とに基づいて、前記光透過率可変素子の光透過率を取得し、
前記補正量取得手段は、前記光透過率に応じた前記補正量を取得することを特徴とする請求項１１に記載の撮像装置。
【請求項１３】
前記光透過率可変素子は給電される電流値に応じて前記光透過率が可変される素子であり、
前記光透過率可変素子の電流特性を計測する計測手段を有し、
前記情報取得手段は、前記計測された電流特性を基に、前記光透過率に関する情報として、前記光透過率可変素子の光透過率を取得し、
前記補正量取得手段は、前記光透過率に応じた前記補正量を取得することを特徴とする請求項１１に記載の撮像装置。
【請求項１４】
前記光透過率可変素子は前記光透過率の可変に応じて温度特性が変化する素子であり、
前記光透過率可変素子の温度特性を計測する計測手段を有し、
前記情報取得手段は、前記計測した温度特性に基づいて、前記光透過率可変素子の光透過率を取得し、
前記補正量取得手段は、前記光透過率に応じた前記補正量を取得することを特徴とする請求項１１または１３に記載の撮像装置。
【請求項１５】
前記光透過率可変素子の光透過率を、制御パラメータにより制御する制御手段を有し、
前記情報取得手段は、前記制御パラメータに基づいて、前記光透過率可変素子の光透過率を取得し、
前記補正量取得手段は、前記光透過率に応じた前記補正量を取得することを特徴とする請求項１１に記載の撮像装置。
【請求項１６】
前記光透過率可変素子の光透過率を、制御パラメータにより制御する制御手段を有し、
前記情報取得手段は、前記光透過率に関する情報として、前記制御パラメータを取得し、
前記補正量取得手段は、前記制御パラメータに応じた前記補正量を取得することを特徴とする請求項１１に記載の撮像装置。
【請求項１７】
前記光透過率可変素子は、印加電圧に応じて前記光透過率が可変される素子であり、
前記光透過率可変素子の光透過率を、印加する電圧により変更する印加手段を有し、
前記制御手段は、前記制御パラメータとして、前記印加電圧を設定することを特徴とする請求項１５または１６に記載の撮像装置。
【請求項１８】
画像処理装置が実行する画像処理方法であって、
撮像が行われた際の光透過率可変素子の光透過率に関する情報を取得する情報取得工程と、
前記撮像で得られた画像の色滲みを抑圧する補正処理に用いる補正量を取得する補正量取得工程と、
前記補正量を用いて、前記画像に前記補正処理を施す補正工程と、を有し、
前記補正量取得工程では、前記光透過率に関する情報に応じた前記補正量を取得することを特徴とする画像処理方法。
【請求項１９】
コンピュータを、請求項１から１０のいずれか１項に記載の画像処理装置の各手段として機能させるためのプログラム。
【発明の詳細な説明】
【技術分野】
【０００１】
本発明は、撮像した画像を処理する画像処理技術に関する。
【背景技術】
【０００２】
撮像装置等の撮像素子に入射する光量を低減するＮＤ（Ｎｅｕｔｒａｌ  Ｄｅｎｓｉｔｙ）フィルタ等の光透過率低減素子として、光の透過率を電気的に制御可能とした光透過率可変素子がある。この光透過率可変素子を用いることで、露出調整の自由度が広がり、透過率が固定された素子では不可能であった映像表現が可能となる。また、光透過率可変素子による効果を大きく発揮させるためには、光透過率の変化幅を拡大することが重要である。ここで、光透過率可変素子としては、液晶素子又は有機エレクトロクロミック素子といった、有機分子を用いた素子の開発が進められている。これらの素子は、機械的な動作部を必要とせず、光透過率を連続的、電気的に制御可能であるという特徴を持つ。一方、光透過率可変素子は光透過率によって分光特性が異なり、一般的に透過率変化を大きくする程、分光特性の変化も大きくなる関係にある。特に、可視光の中心波長領域の分光特性変動を低減した素子設計がなされることにより、可視光領域の下限波長及び上限波長付近の透過率変動が大きくなりやすい傾向にある。
【０００３】
一方で、近年のデジタルカメラやデジタルビデオカメラは、高画素数のイメージセンサを採用することで高精細、高画質な映像が得られるようになってきている。しかしながら、画素の微細化やレンズの小型化などの要因により、光の波長毎の結像位置が異なることに起因する色収差の影響の一つである、いわゆる色滲みが画像に現れやすくなっている。また、撮像された画像における色滲みを抑圧する技術として、様々な方法が提案されている。例えば、特許文献１には、画像データの勾配値を求め、勾配値が閾値を超えた際に対象領域の色滲みを抑圧する処理を行う技術が開示されている。それに加え、特許文献１には、画像データ生成に用いたレンズ駆動位置や絞り値などから色滲み量を推定し、その推定値が大きい場合には勾配値の閾値を小さな値に設定する技術が提案されている。
【先行技術文献】
【特許文献】
【０００４】
【特許文献１】特開２０１１−１６０２０４号公報
【発明の概要】
【発明が解決しようとする課題】
【０００５】
ところで、光透過率可変素子による光透過率の変更は、例えば撮影時に背景のボケ量を変えるための被写界深度変更を目的として行われる場合などがある。つまり、絞り値を変えることで被写界深度を変更し、一方、その絞り値変更に伴う明るさの変化を、光透過率可変素子の透過率変更により補うことで、ノイズ悪化などの画質変化を極力起こさずに被写界深度の変更が可能となる。
【０００６】
しかしながら、光透過率可変素子の光透過率を変更すると、前述のとおり可視光波長の下限波長及び上限波長付近の透過率変化が相対的に大きくなる。また一般に、色収差は短波長の透過率が高くなる場合には青味が強くなり、長波長の透過率が高くなる場合には赤味が強くなる傾向にある。そのため、絞りと光透過率可変素子とを用いて被写界深度を変更した撮影を行うと、光透過率可変素子の透過率変更に伴う分光特性変化によって、主に光学起因で発生する色滲みの程度が変わってしまうことがある。
【０００７】
そこで、本発明は、光透過率可変素子の光透過率を変更することによる色滲みを低減可能にすることを目的とする。
【課題を解決するための手段】
【０００８】
本発明の画像処理装置は、撮像が行われた際の光透過率可変素子の光透過率に関する情報を取得する情報取得手段と、前記撮像で得られた画像の色滲みを抑圧する補正処理に用いる補正量を取得する補正量取得手段と、前記補正量を用いて、前記画像に前記補正処理を施す補正手段と、を有し、前記補正量取得手段は、前記光透過率に関する情報に応じた前記補正量を取得することを特徴とする。
【発明の効果】
【０００９】
本発明によれば、光透過率可変素子の光透過率を変更することによる色滲みを低減可能となる。
【図面の簡単な説明】
【００１０】
【図１】実施形態のカメラの構成例を示す図である。
【図２】第１の実施形態の画像処理部とシステム制御部の構成例を示す図である。
【図３】電流特性と温度特性に基づく透過率推定処理のフローチャートである。
【図４】可変ＮＤの分光特性を示す図である。
【図５】勾配値と抑圧係数の関係を表す色滲み抑圧特性を示す図である。
【図６】光透過率に応じた色滲み抑圧処理のフローチャートである。
【図７】透過率と色抑圧特性の関係、勾配値と抑圧係数の関係を示す図である。
【図８】第２の実施形態の画像処理部とシステム制御部の構成例を示す図である。
【図９】時間変化と、デューティ比、透過率、又は傾きの関係を示す図である。
【図１０】色滲み補正量変更処理のフローチャートである。
【発明を実施するための形態】
【００１１】
以下、本発明の好ましい実施形態を、添付の図面に基づいて詳細に説明する。
図１は、本発明に係る画像処理装置の一適用例であるカメラ１００の構成例を示すブロック図である。
図１において、撮影レンズ１０３は、ズームレンズ、フォーカスレンズを含むレンズ群であり、被写体像を撮像部２２の撮像面に結像させる。絞り１０１は、光量調整に使用する絞りである。撮像部２２は、光学像を電気信号に変換するＣＣＤ素子やＣＭＯＳ素子等で構成される撮像素子である。撮像素子には、３原色のＲ（赤）、Ｇ（緑）、Ｂ（青）のフィルタ素子が例えばいわゆるベイヤー配列されたカラーフィルタが配されている。また撮像部２２は、電子シャッターによる蓄積時間の制御、アナログゲイン調整、及び、読み出し速度の変更などの機能も備える。Ａ／Ｄ変換器２３は、撮像部２２から出力されたアナログ画像信号をデジタル画像信号に変換する。なおＡ／Ｄ変換器２３以降の構成で扱われる画像信号はデジタル画像信号であるが、以下、説明を簡略にするため、単に画像信号もしくは画像とのみ表記する。バリア１０２は、カメラ１００の撮影レンズ１０３を含む撮像系を覆うことにより、撮影レンズ１０３、絞り１０１、撮像部２２を含む撮像系の汚れや破損を防止する。
【００１２】
可変ＮＤ１０４は、光透過率（以下適宜、透過率とする）を変更可能な光透過率可変素子である。なお、可変ＮＤ１０４として用いられる光透過率可変素子は、機械的な動作部を必要とせず、光透過率を連続的、電気的に制御可能であるという特徴を有している。可変ＮＤ１０４の具体例および光透過率制御の詳細については後述する。
【００１３】
画像処理部２４は、Ａ／Ｄ変換器２３からの画像信号、又は、メモリ制御部１５からの画像信号に対して色変換、ガンマ補正、及びデジタルゲインの付加等の処理を行う。また、画像処理部２４は、撮像された画像信号を用いて所定の演算処理を行い、その演算結果をシステム制御部５０に送る。システム制御部５０は、その演算結果に基づいて、露出制御、測距制御、及びホワイトバランス制御等を行う。これにより、ＴＴＬ（スルー・ザ・レンズ）方式のＡＦ（オートフォーカス）処理、ＡＥ（自動露出）処理、ＡＷＢ（オートホワイトバランス）処理等が行われる。画像処理部２４の詳細は後述する。
【００１４】
Ａ／Ｄ変換器２３から出力された画像信号は、画像処理部２４及びメモリ制御部１５を介して、或いは、メモリ制御部１５を介してメモリ３２に直接書き込まれる。メモリ３２は、撮像部２２によって撮像されてＡ／Ｄ変換器２３でデジタル変換された画像信号や、表示部２８に表示するための画像信号を格納する。メモリ３２は、所定時間の動画像および音声を格納するのに十分な記憶容量を備えている。
【００１５】
またメモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。これによりメモリ３２に書き込まれた表示用の画像信号は、表示部２８により表示される。表示部２８は、液晶ディスプレイ等の表示器上に、Ｄ／Ａ変換器１３からのアナログ信号に基づく画像を表示する。また、Ａ／Ｄ変換器２３によって一度Ａ／Ｄ変換されてメモリ３２に蓄積されたデジタル画像信号をＤ／Ａ変換器１３でアナログ変換し、表示部２８に逐次転送して表示することで、電子ビューファインダが実現され、スルー画像表示が可能となる。
【００１６】
不揮発性メモリ５６は、電気的に消去・記録可能なメモリであり、例えばＥＥＰＲＯＭが用いられる。不揮発性メモリ５６には、システム制御部５０の動作用の定数、プログラム等が記憶される。ここでいう、プログラムには、本実施形態にて後述する各種フローチャートを実行するためのプログラムが含まれる。
【００１７】
システム制御部５０は、カメラ１００全体を制御する。システム制御部５０は、前述した不揮発性メモリ５６に記録されたプログラムを実行することで、後述する本実施形態の各処理を実現する。システムメモリ５２は、ＲＡＭにより構成され、システム制御部５０の動作用の定数、変数、あるいは不揮発性メモリ５６から読み出されたプログラム等が展開される。またシステム制御部５０は、メモリ３２、Ｄ／Ａ変換器１３、表示部２８等を制御することにより表示制御も行う。
【００１８】
システムタイマー５３は、各種制御に用いる時間や内蔵された時計の時間を計測する計時部である。
モード切替スイッチ６０、録画スイッチ６１、及び操作部７０は、システム制御部５０に対し、各種の動作指示をユーザが入力する際に操作される操作入力部である。システム制御部５０は、ユーザからのモード切替スイッチ６０の操作に応じて、カメラ１００の動作モードを、動画記録モード、静止画記録モード、あるいは再生モード等のいずれかに切り替える。動画記録モードや静止画記録モードに含まれるモードは、オート撮影モード、オートシーン判別モード、マニュアルモード、撮影シーン別の撮影設定となる各種シーンモード、プログラムＡＥモード、カスタムモード等を含む。システム制御部５０は、モード切替スイッチ６０の操作に応じて、動画撮影モードに含まれるこれらのモードのいずれかに直接切り替える。あるいは、システム制御部５０は、モード切替スイッチ６０の操作に応じて動画撮影モードに一旦切り換えた後、他の操作部材からの操作に応じて、動画撮影モードに含まれる各モードのいずれかに切り替えるようにしてもよい。録画スイッチ６１は、撮影待機状態と撮影状態を切り替える際にユーザにより操作されるスイッチである。システム制御部５０は、録画スイッチ６１からの信号を受けて、撮像部２２からの信号読み出しから記録媒体１１０への動画データの書き込みまでの一連の動作を開始する。
【００１９】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右４方向の十字キーやＳＥＴボタンを用いて直感的に各種設定を行うことができる。
【００２０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体１１０を含む各部へ供給する。
【００２１】
電源部３０は、アルカリ電池やリチウム電池等の一次電池やＮｉＣｄ電池やＮｉＭＨ電池、Ｌｉイオン電池等の二次電池、ＡＣアダプター等からなる。記録媒体Ｉ／Ｆ１８は、メモリカードやハードディスク等の記録媒体１１０とのインターフェースである。記録媒体１１０は、撮影された画像を記録するためのメモリカード等の記録媒体であり、半導体メモリや磁気ディスク等から構成される。
【００２２】
＜第１の実施形態＞
ここで、本実施形態のカメラ１００は、前述したように、光の透過率を電気的に制御可能な光透過率可変素子である可変ＮＤ１０４を備えている。ただし、光透過率可変素子の透過率を変更すると、前述したように、光透過率可変素子の分光特性変化によって、主に光学起因で発生する色滲みの程度が変わってしまうことがある。
【００２３】
このため、本発明の第１の実施形態に係る構成として、カメラ１００は、図２に示す構成を備えることで、可変ＮＤ１０４の透過率を変更することによる色滲みを抑圧可能としている。以下、図２を参照して、第１の実施形態に係る画像処理部２４及びシステム制御部５０における、可変ＮＤ１０４の光透過率に応じた色滲み抑圧処理に関する構成について説明する。なお、画像処理部２４内の各ブロックは、システム制御部５０を通じて、絞りや、可変ＮＤ１０４の透過率情報、シャッター速度などの露出パラメータを含めたカメラ内部のあらゆるデータを取得可能であるとする。
【００２４】
図２において、発光素子２１８及び検出部２１９は、可変ＮＤ１０４の光透過率を検出するために設けられている。発光素子２１８は、ＬＥＤ（発光ダイオード）などの発光素子であり、可変ＮＤ１０４の絞り側に設置されている。検出部２１９は、発光素子２１８から出射されて可変ＮＤ１０４を透過した光を受光する受光部であり、可変ＮＤ１０４の撮像素子側に設置されている。また検出部２１９は、可変ＮＤ１０４の電流値の計測、及び、可変ＮＤ１０４の温度の計測も可能な構成となされている。検出部２１９は、温度計等により可変ＮＤ１０４の温度情報を直接取得してもよいし、可変ＮＤ１０４の温度情報を間接的に測定する構成となされていてもよい。可変ＮＤ１０４の温度を直接測定する温度計の具体例としては、サーミスタ、熱電対、放射温度計などが挙げられる。
【００２５】
システム制御部５０内の透過率取得部２１０は、可変ＮＤ１０４の光透過率に関する情報を取得する情報取得機能を有する。図２の構成例の場合、透過率取得部２１０は、発光素子２１８の発光量と、検出部２１９による受光量の検出結果とに基づいて、可変ＮＤ１０４の透過率を取得し、その透過率を表す情報を透過率制御部２１１と補正量調整部２０７とに出力する。透過率取得部２１０による可変ＮＤ１０４の透過率取得処理の詳細は後述する。
透過率制御部２１１は、透過率取得部２１０から送られてきた透過率の情報から可変ＮＤ１０４の透過率を認識し、可変ＮＤ１０４の光透過率が所望の透過率になるように制御する。透過率制御部２１１による可変ＮＤ１０４の透過率制御の詳細は後述する。
【００２６】
画像処理部２４のＷＢ制御部２０２は、入力された画像信号のＲＧＢ信号に対し、ホワイトバランスゲインであるＲゲイン、Ｂゲインを調整することにより、画像全体の色味を補正する。
輝度変換部２０６は、ホワイトバランスゲイン調整後のＲＧＢ信号から、例えばＧ信号のみを抽出し、このＧ信号に適応補間処理を施したものを輝度信号（Ｙ信号）として生成する。
ガンマ補正部２０４は、画像の入出力特性、いわゆるガンマ特性を変更する。ガンマ補正部２０４は、ＷＢ制御部２０２から出力されたＲ信号とＧ信号とＢ信号のそれぞれの信号と、輝度変換部２０６から出力されたＹ信号とに対してガンマ補正を施す。
輝度色差生成部２０５は、ガンマ補正後のＲＧＢ信号から色差信号であるＣｒ信号とＣｂ信号とを生成し、ガンマ補正後のＹ信号とあわせて、輝度色差信号であるＹＣｒＣｂ信号を生成する。このＹＣｒＣｂ信号は色抑圧処理部２０８に送られる。
【００２７】
係数算出部２０３は、色滲み抑圧処理の対象とする着目画素ごとに、Ｒ信号の出力値の傾斜を示す勾配値Ａｒ、Ｇ信号の出力値の傾斜を示す勾配値Ａｇ、及びＢ信号の出力値の傾斜を示す勾配値Ａｂを求める。さらに、係数算出部２０３は、それら勾配値Ａｒ，Ａｇ，Ａｂに基づいて、Ｒ信号に対する抑圧係数Ｋｒと、Ｇ信号に対する抑圧係数Ｋｇと、Ｂ信号に対する抑圧係数Ｋｂとを、色滲み抑圧処理に用いる係数を決定、つまり色滲みに対する補正量を決定する。係数算出部２０３による係数決定処理の詳細は後述する。
補正量調整部２０７は、係数算出部２０３による係数決定処理で求めた係数、つまり色滲み補正処理の補正量を、透過率取得部２１０が取得した可変ＮＤ１０４の透過率に応じて変更するような補正量調整処理を行う。補正量調整部２０７による色滲み補正量の調整処理の詳細は後述する。
【００２８】
このように、本実施形態の場合、係数算出部２０３で求めた係数を、可変ＮＤ１０４の光透過率に関する情報に応じて調整した後の係数が、色滲みの補正処理を行う際の補正量として用いられる。すなわち本実施形態においては、係数算出部２０３と補正量調整部２０７とによって、色滲みの補正処理に用いられる補正量を取得する補正量取得処理が行われる。
【００２９】
色抑圧処理部２０８は、係数算出部２０３から供給される抑圧係数Ｋｒ，Ｋｇ，Ｋｂから、着目画素ごとに、色差信号Ｃｒに対する抑圧係数と色差信号Ｃｂに対する抑圧係数とを算出し、それら抑圧係数により色差信号Ｃｒ，Ｃｂに対して色滲み抑圧処理を行う。色抑圧処理部２０８による色滲み抑圧処理の詳細は後述する。この色滲み抑圧処理が施された色差信号Ｃｒ´，Ｃｂ´と、輝度信号Ｙとが、色滲み抑圧後の画像信号であり、輝度色差補正部２０１に送られる。
【００３０】
輝度色差補正部２０１は、色滲み抑圧後の色差信号Ｃｒ´，Ｃｂ´に対し、ゲイン処理とマトリクス演算とを施すことで、画像の色相及び彩度を補正する。
なお、図２に示した透過率取得部２１０と透過率制御部２１１は、システム制御部５０が不揮発性メモリ５６に格納されたプログラムをシステムメモリ５２に展開して実行することにより実現されてもよいし、ハードウェア構成により実現されてもよい。またＷＢ制御部２０２の輝度色差補正部２０１〜色抑圧処理部２０８の各処理のすべてもしくは一部の処理は、ＣＰＵ等が不揮発性メモリ５６に格納されたプログラムを実行することで実現されてもよいし、ハードウェア構成により実現されてもよい。
【００３１】
以下、図２の主要な構成の詳細な動作について説明する。
ここで、本実施形態では、例えば撮影時に背景のボケ量を変えるための被写界深度変更を目的として、可変ＮＤ１０４の光透過率が変更される場合を例に挙げて説明する。つまり、絞り１０１の絞り値を変えることで被写界深度を変更し、一方、その絞り値変更に伴う明るさの変化を、可変ＮＤ１０４の透過率を変更して補うことにより、ノイズ悪化などの画質変化を極力起こさずに被写界深度を変更した撮影を例に挙げる。本実施形態では、このような絞り値及び光透過率を変更することで被写界深度を変更する撮影を、被写界深度変更撮影と呼ぶことにする。
【００３２】
被写界深度変更撮影では、例えば、絞り１０１の絞り値を開放側へ２段可変させることで被写界深度変更を行い、可変ＮＤ１０４の可視光波長の平均透過率を８０％から２０％に変更することで画像の明るさを維持した撮影を行うとする。またここでは、Ｒ信号とＧ信号に対する色滲み補正量は常に固定とし、可変ＮＤ１０４の透過率に応じてＢ信号に対する補正量を変更する場合を例に挙げる。そのためＲ信号とＧ信号に対する色滲み補正についての説明は省略する。また一般に、絞り値を変更すると色収差の出方が変化することが知られているが、ここでは説明を簡略にするために、絞り値変更による色収差に変化は無いものとする。
【００３３】
まず、可変ＮＤ１０４の具体例及び透過率変更制御について説明する。
可変ＮＤ１０４は、光透過率を電気信号によって制御可能な光透過率可変素子であり、撮像部２２への入射光量を調整する役割を担っている。光透過率可変素子としては、液晶素子、有機エレクトロクロミック素子といった、有機分子を用いた素子が好ましく用いられる。中でもゲスト−ホスト式の液晶素子、有機エレクトロクロミック素子がコントラスト、偏光特性の点からより好ましく用いられる。また、コントラスト、最大透過率の観点から有機エレクトロクロミック素子が最も好ましく用いられる。透過率制御部２１１による可変ＮＤ１０４の透過率の制御方法は、それらの素子のなかで、いずれか用いられる素子に適した方法が採用される。透過率制御法は、例えば。所望の透過率の設定値に対して、予め規定されている条件を可変ＮＤ１０４に入力する方法や、透過率の設定値に対して可変ＮＤ１０４の透過率を比較して、設定値に合うように条件を選択又は入力する方法が挙げられる。光透過率制御のために入力される設定情報としては、可変ＮＤ１０４に印加する電圧の値、給電する電流値、ＰＷＮ（パルス幅変調）制御におけるデューティ（Ｄｕｔｙ）比等が挙げられる。本実施形態では、可変ＮＤ１０４の光透過率可変素子として有機エレクトロミック素子を用い、デューティ比を制御する場合を例に挙げる。例えば、可変ＮＤ１０４は、デューティ比が０％時の平均透過率が８０％となり、デューティ比が５０％時の平均透過率が２０％となる素子であるとする。
【００３４】
続いて、可変ＮＤ１０４の光透過率を取得する動作について説明する。
本実施形態では、可変ＮＤ１０４の光透過率が、発光素子２１８を発光させた時の検出部２１９の検出結果を基に推定される方法と、可変ＮＤ１０４の電流特性および温度特性に基づいて求められる方法とを、例に挙げて説明する。なお取得方法はそれらどちらの方法が用いられてもよいし、両方法が用いられてもよい。両方法が用いられる場合、それら両方法で取得した結果に基づいて光透過率が導出されることになる。また、可変ＮＤ１０４の光透過率は、可変ＮＤ１０４を制御する際の制御パラメータである例えば印加電圧、給電する電流値、デューティ比などに基に推定されてもよい。
【００３５】
はじめに、発光素子２１８を発光させた時の検出部２１９の検出結果に基づいて推測する方法について説明する。
この方法の場合、システム制御部５０の透過率取得部２１０は、発光素子２１８を所定の一定光量で発光させ、その発光素子２１８から出射された光が可変ＮＤ１０４を透過した後の光量を検出部２１９で測定することにより、透過率を取得する。この場合の発光素子２１８及び検出部２１９は、発光素子２１８からの光が撮像部２２に影響せず、また検出部２１９には絞り１０１を通過した光が漏れこむことが無いようなメカ的構成及び位置となるように配される。すなわち検出部２１９は、発光素子２１８から出射されて可変ＮＤ１０４を透過した光のみを受光するようなメカ的配置となされている。例えば、検出部２１９は、可変ＮＤ１０４の近傍で、且つ撮像素子の撮像領域からは物理的に離れた場所に、受光領域が位置するように配される。また検出部２１９は、絞り１０１から撮像部２２を通る光線が、受光領域に入らないように遮光される位置に配されるか、またはその光線を遮光する構成を有している。発光素子２１８は、検出部２１９の受光領域とで可変ＮＤ１０４を挟む位置に配される。そして、透過率取得部２１０は、発光素子２１８の発光量と、検出部２１９による受光光量の測定結果とから、可変ＮＤ１０４の透過率を推定する。発光量と受光光量とから透過率を推定する手法は様々な手法があり、それらのいずれが用いられてもよい。
【００３６】
次に、透過率取得部２１０が電流特性および温度特性に基づいて透過率を推定して取得する方法について図３のフローチャートで説明する。
まず、ステップＳ３０１において、透過率取得部２１０は、検出部２１９が計測した、可変ＮＤ１０４の電流値と温度情報を取得する。
【００３７】
次にステップＳ３０２において、透過率取得部２１０は、ステップＳ３０１で取得した電流値を基に、可変ＮＤ１０４の素子内における電流特性として電位分布を推定する。
次にステップＳ３０３において、透過率取得部２１０は、ステップＳ３０１で取得した温度情報から、可変ＮＤ１０４の温度特性として温度分布を求める。さらに、透過率取得部２１０は、ステップＳ３０２で求めた電位分布を、可変ＮＤ１０４の温度分布に基づいて校正する。そして、透過率取得部２１０は、この校正後の電位分布により透過率を推定して取得する。電位分布、温度分布による透過率の推定は、予め各種条件で測定したデータを保存しておき、該測定データをもとに推定を行うなどすればよい。
【００３８】
続いて画像に発生する色滲みについて、可変ＮＤ１０４の分光特性と関連付けて説明する。
図４（ａ）及び図４（ｂ）は、本実施形態で使用する可変ＮＤ１０４の分光特性を示す図である。可変ＮＤ１０４の分光特性は透過率に応じて変化し、図４（ａ）の特性線４０１は平均透過率が８０％時の分光特性を表し、特性線４０２は平均透過率が２０％時の分光特性を表している。そして、図４（ｂ）の特性線４０３は、特性線４０１で示された分光特性を５５０ｎｍの波長強度で除算した特性を表し、同様に、特性線４０４は、特性線４０２で示された分光特性を５５０ｎｍの波長強度で除算した特性を表している。特性線４０３と特性線４０４の分光特性を比較すると、平均透過率を２０％にした際に、４００ｎｍ〜４５０ｎｍの領域が他の波長領域よりも透過率が高い状態に変化していることが分かる。すなわち、被写界深度変更撮影において、可変ＮＤ１０４の透過率を８０％から２０％に切り替えて絞り値変更前の明るさを維持すると、短波長側の透過率が相対的に高まることとなる。そのため光学起因で生じる色収差の青味が強まる。なお、第１の実施形態においては、図４（ａ）及び図４（ｂ）のような分光特性変化を例としたが、分光特性変化は可変ＮＤ１０４として用いる素子や、光透過率の制御方法によって異なる。そのため、短波長領域の透過率が低下する特性となる場合や、長波長領域（６００ｎｍ以上）の透過率が変動する場合など様々なケースが考えられる。
【００３９】
続いて、色滲み補正処理について説明する。
前述したように係数算出部２０３は、ＲＧＢの各色の勾配検出を行う。まず係数算出部２０３は、ＲＧＢの画像信号の勾配値を算出するため、画像信号の一次微分値を算出する。本実施形態の場合、係数算出部２０３は、ソーベル（Ｓｏｂｅｌ）フィルタを用いることで画像信号の画素間の変化を算出し、着目画素の信号レベルの勾配値Ａｒ，Ａｇ，Ａｂを求める。さらに、係数算出部２０３は、Ｒ信号の勾配値Ａｒと、Ｇ信号の勾配値Ａｇと、Ｂ信号の勾配値Ａｂとから、着目画素における各色の抑圧係数を決定する。
【００４０】
図５は、勾配値Ａと抑圧係数αの関係を表す色滲み抑圧特性を示した図である。
図５に示すように、抑圧係数αは０〜α（α≦１）の間で例えば多段階的に設定可能となされている。そして、色滲みの抑圧の程度は、抑圧係数αを変えることで変化させることが可能である。係数算出部２０３は、この抑圧係数αを着目画素ごとにＲＧＢの色別に求め、さらに勾配値Ａｒ，Ａｇ，Ａｂから抑圧係数Ｋｒ，Ｋｇ，Ｋｂを求めて、それぞれ色抑圧処理部２０８へ出力する。
【００４１】
色抑圧処理部２０８は、式（１）により、抑圧係数ＫｒおよびＫｇから色差信号Ｃｒに対する抑圧係数Ｋｃｒを求め、また式（２）により抑圧係数ＫｂおよびＫｇから色差信号Ｃｂに対する抑圧係数Ｋｃｂを求める。
【００４２】
Ｋｃｒ＝１−（０．８×Ｋｒ＋０．２×Ｋｇ）        式（１）
Ｋｃｂ＝１−（０．８×Ｋｂ＋０．２×Ｋｇ）        式（２）
【００４３】
そして、色抑圧処理部２０８は、抑圧係数Ｋｃｒ，Ｋｃｂをそれぞれ色差信号Ｃｒ，Ｃｂに乗じて得られた値を、色滲み抑圧処理後の色差信号Ｃｒ´，Ｃｂ´として出力する。式（１）及び式（２）と図５の関係からわかるように、勾配値が大きくなるほど抑圧係数Ｋｒ，Ｋｂ，Ｋｇの値は１に近づき、抑圧係数Ｋｒ，Ｋｂ，Ｋｇの値が１になると、抑圧係数Ｋｃｒ，Ｋｃｂは０の値をとる。そして、抑圧係数Ｋｃｒ，Ｋｃｂが０の値になると、色差信号Ｃｒ´，Ｃｂ´の信号値は０となる。逆に、勾配値が小さくなるほど抑圧係数Ｋｒ，Ｋｂ，Ｋｇの値は０に近づき、抑圧係数Ｋｒ，Ｋｂ，Ｋｇの値が０になると、抑圧係数Ｋｃｒ，Ｋｃｂは１の値をとる。そして、抑圧係数Ｋｃｒ，Ｋｃｂが１の値になると、色差信号Ｃｒ´，Ｃｂ´の信号値は、色差信号Ｃｒ，Ｃｂと同じ信号値をとる。本実施形態では、このように勾配値に応じて色差信号レベルが低下し、色滲みが低減される構成となっている。
【００４４】
このことは、色抑圧処理部２０８において、複数の色信号（つまりＲＧＢの３原色）のうち、少なくとも２色（つまりＲ信号とＢ信号）の色滲みを抑圧する補正処理が行われることに相当する。また本実施形態において、色滲みの補正処理は、ＲＧＢのうち相対的に波長が短い色（Ｂ）の信号または相対的に波長が長い色（Ｒ）の信号に対して行われることに相当する。すなわち本実施形態において、色滲みの補正量は、短波長側の透過率が変動する場合にはＢの補正量が変更され、長波長側の透過率が変動する場合にはＲの補正量が変更される。
【００４５】
続いて、前述のように取得された透過率に応じて、補正量調整部２０７が、色滲み補正量を変更（調整）する処理について、図６と図７（ａ）及び図７（ｂ）を用いて説明する。図６は、本実施形態における色滲み補正量の変更処理とその後の色滲み補正処理を表すフローチャートである。図７（ａ）は、透過率と勾配値Ａｂに対する抑圧係数の傾きの関係を特性線７００で示した特性図である。図７（ｂ）は、Ｂ信号の勾配値と抑圧係数の関係を示した特性図である。図７（ｂ）の特性線７０１は傾きがｂ１の時の特性を示し、特性線７０２は傾きがｂ２の場合の特性を示している。本実施形態における色滲み補正量の変更処理は、図７（ａ）のように透過率が低い程、図７（ｂ）のように傾きを大きくしており、勾配値Ａｂに対する抑圧係数を高めるようになっている。すなわち、補正量調整部２０７は、光透過率が下げるほど色滲み補正量が多くなるように係数算出部２０３の係数を変更して色滲み補正量を調整する。
【００４６】
図６のフローチャートにおいて、補正量調整部２０７は、まずステップＳ６０１の処理として、透過率取得部２１０が前述のようにして求めた可変ＮＤ１０４の透過率の情報を取得する。
続いてステップＳ６０２において、補正量調整部２０７は、その透過率が閾値Ｔｒ１以下か否かを判定する。補正量調整部２０７は、透過率が閾値Ｔｒ１より大きいと判定した場合にはステップＳ６０３に処理を進め、一方、透過率が閾値Ｔｒ１以下であると判定した場合にはステップＳ６０４に処理を進める。
【００４７】
透過率が閾値Ｔｒ１より大きいと判定してステップＳ６０３に進むと、補正量調整部２０７は、係数算出部２０３を制御して色抑圧係数の傾きを図７（ａ）のｂ１に設定する。これにより、色抑圧処理部２０８で行われる色滲み補正は「弱」に設定されることになる。
一方、透過率が閾値Ｔｒ１以下であると判定してステップＳ６０４に進むと、補正量調整部２０７は、係数算出部２０３を制御して色抑圧係数の傾きを図７（ａ）のｂ２に設定する。これにより、色抑圧処理部２０８で行われる色滲み補正は「強」に設定されることになる。
【００４８】
ステップＳ６０３又はステップＳ６０４の後はステップＳ６０５の処理に進み、色抑圧処理部２０８は、ステップＳ６０３又はステップＳ６０４で透過率に応じて制御された色抑圧係数に基づいて、画像に適用する色滲み補正を実施する。
【００４９】
なお閾値Ｔｒ１は、例えば５０％に設定しておくことで、可変ＮＤ１０４の平均透過率を８０％と２０％に切り替えた際に色滲み補正量が切り替わるようにしておけばよい。また、その切り替えに応じて変更する色滲み補正量は、予め様々な周波数成分、コントラストを持つ複数の被写体で、色収差の程度を確認しておき、その確認結果に基づいて事前に不揮発性メモリ５６へ保存しておくなどする。
【００５０】
前述したように、可変ＮＤ１０４として用いられる光透過率可変素子によっては、可視光の長波長領域の透過率が相対的に高まる場合もある。この場合、補正量調整部２０７は、Ｒ信号の色滲み補正量を変更するように制御する。また例えば短波長と長波長がどちらも変動する場合、補正量調整部２０７は、Ｒ信号とＢ信号のそれぞれの色滲み補正量の変更を行ってもよい。また補正量調整部２０７は、可視光領域の中心波長（例えば４５０〜６００ｎｍ）よりも相対的に大きく変動する領域が可視光領域内に存在する場合には、その変動領域において支配的な色信号の色滲み補正のパラメータを変更すればよい。
【００５１】
また、本実施形態では、透過率に応じて色抑圧特性の傾きを変更する場合を例として挙げたが、色抑圧処理を開始する勾配値Ａの閾値を低く設定するなどしても良く、色抑圧特性の変更方法は特に限定されるものではない。このような構成とすることで、被写界深度変更撮影などで可変ＮＤの透過率を変更した際の色収差の見え方を略一定とすることが可能となる。
【００５２】
なお一般に、撮像装置ではＵＶ（紫外線）／ＩＲ（赤外線）カットガラスを撮像素子の前面に設置することで非可視光の影響低減を図る手法が知られている。しかし、可視光と非可視光の光を完全に分離することは出来ないため、可視光領域の下限波長又は上限波長付近の透過率変動の影響は少なからず残ってしまうため、本実施形態のような色滲み補正量の変更は必要となる。
また一般に、分光特性変化に伴う画質影響としては、無彩色、有彩色の色再現の変化が挙げられる。この場合、例えば補正量調整部２０７が、可変ＮＤ１０４の透過率に応じて、ＷＢ制御部２０２のホワイトバランスゲイン又はカラーバランスゲインを調整したり、輝度色差補正部２０１のカラーマトリクスを調整したりすることで、色再現変化を抑えてもよい。なお、各ホワイトバランス、カラーバランスのパラメータは、色収差の色味に影響を与えるが、肌や空など記憶色の色再現を重視したパラメータ設定が行われるため、色収差の程度を考慮した設定はなされない。そのため、色収差低減のためには、色滲み補正量の変更が必要となる。
【００５３】
前述したように、第１の実施形態のカメラ１００は、可変ＮＤ１０４の透過率に応じて色滲み補正量を制御することにより、可変ＮＤ１０４の透過率変更前後における色収差の見えを低減でき、色収差の見えを略一定に保つこと、つまり色滲みの低減が可能となる。
【００５４】
＜第２の実施形態＞
次に、本発明に係る第２の実施形態について説明する。
第２の実施形態では、可変ＮＤ１０４の応答特性に応じた、色滲みの補正量を取得する例について説明する。第２の実施形態では、第１の実施形態で説明した補正量を取得する際に使用された各情報のうち、可変ＮＤ１０４の透過率制御パラメータを例に挙げ、当該透過率制御パラメータを基に色滲み補正量を制御する例について説明する。もちろん第２の実施形態では、前述した第１の実施形態で挙げた各情報を基に色滲み補正量を制御する場合にも適用可能である。第２の実施形態では、デューティ比が透過率制御パラメータである場合を例として説明を行う。また、可変ＮＤ１０４は前述した有機分子を用いた有機素子であるとする。
【００５５】
なお第２の実施形態におけるカメラ１００の構成は前述した図１と同じであるため、その図示と説明は省略する。図８は、第２の実施形態に係る画像処理部２４とシステム制御部５０における、可変ＮＤ１０４の透過率制御に関する構成を示した図である。なお、図８において、前述した図２と同じ構成要素には図２と同一の参照符号を付して、それらの説明は適宜省略する。第２の実施形態では、透過率制御パラメータであるデューティ比を用いて色滲み補正量を変更するため、第１の実施形態のような可変ＮＤ１０４の透過率の取得は不要となっている。そのため図８の構成は、図２の発光素子２１８、検出部２１９、及び透過率取得部２１０を有さない構成となっている。また、透過率制御部８１１は、デューティ比を透過率制御パラメータとして、可変ＮＤ１０４の透過率を制御している。
【００５６】
まず、デューティ比と可変ＮＤ１０４の透過率変化の時間的関係について、図９（ａ）と図９（ｂ）を用いて説明する。図９（ａ）は時間変化に対するデューティ比の関係を特性線９００で表した図である。図９（ｂ）は図９（ａ）と同じ時間変化に対する可変ＮＤ１０４の透過率変化を特性線９０１で表した図である。図９（ａ）及び図９（ｂ）において、時間ｔ１で透過率が８０％から２０％へ変更され、時間ｔ４で透過率の変更が終了するものとする。ここで、可変ＮＤ１０４は有機素子であり、有機素子の物性変化はある程度の時間を要する。このため、図９（ａ）及び図９（ｂ）からわかるように、透過率制御パラメータであるデューティ比の変化に対して、可変ＮＤ１０４の透過率変化はある程度の長さの時間を要する。また、可変ＮＤ１０４の透過率は、デューティ比の変更直後と目標透過率に到達する直前とでは応答性が遅い特性である。このため、デューティ比に基づいてのみ色滲み補正量を変更してしまうと、透過率変更指示の直後などでは分光特性の変化は大きくなっていないことになる。このように分光特性の変化が大きくなっていない状態で色滲み補正を行うと、その色滲み補正が過補正となってしまう場合がある。
【００５７】
そこで、第２の実施形態では、可変ＮＤ１０４における透過率変化の応答特性を考慮した色滲み補正処理を行う。
以下、可変ＮＤ１０４における透過率変化の応答特性を考慮し、デューティ比に応じて色滲み補正量を変更制御する処理について、図１０のフローチャート及び図８の構成を用いて説明する。
まず、ステップＳ１００１において、補正量調整部８０７は、可変ＮＤ１０４の制御に用いている現在のデューティ比を、透過率制御部８１１から取得する。
【００５８】
次にステップＳ１００２において、補正量調整部８０７は、透過率制御部８１１から取得したデューティ比を基に、例えば操作部７０を介したユーザ指示情報などでデューティ比の変更がなされたかどうかを判定する。また補正量調整部８０７は、透過率制御部８１１から印加電圧値または電流値の情報を取得し、印加電圧値または電流値について所定期間、所定値以上の差が発生したかに基づいて、デューティ比の変更がなされたかどうかを判定してもよい。補正量調整部８０７は、ステップＳ１００２においてデューティ比に変更が無いと判定した場合には図１０のフローチャートの処理を終了する。一方、デューティ比に変更があると判定した場合、補正量調整部８０７は、ステップＳ１００３に処理を進める。
【００５９】
ステップＳ１００３に進むと、補正量調整部８０７は、デューティ比が閾値Ｄ１以下（例えば２５％以下）であるか否かを判定する。そして、デューティ比が閾値Ｄ１以下であると判定した場合にはステップＳ１００４の処理に進み、デューティ比が閾値Ｄ１より大きいと判定した場合にはステップＳ１００５の処理に進む。
【００６０】
デューティ比が閾値Ｄ１以下と判定されてステップＳ１００４に進むと、補正量調整部８０７は、目標透過率ＴＴ１を例えば８０％とし、目標色抑圧係数を係数ＴＣ１に設定する。係数ＴＣ１は、図９（ｃ）の特性線９０２で示されるような色抑圧特性の傾きの時間的変化における目標色抑圧係数ＣＢ（ｂ１）である。
一方、デューティ比が閾値Ｄ１より大きいと判定されてステップＳ１００５に進むと、補正量調整部８０７は、目標透過率ＴＴ２を例えば２０％とし、目標色抑圧係数を係数ＴＣ２に設定する。係数ＴＣ２は、図９（ｃ）の特性線９０２で示される色抑圧特性の傾きの時間的変化における目標色抑圧係数ＴＢ（ｂ２）である。
【００６１】
ステップＳ１００４又はステップＳ１００５の後、ステップＳ１００７に進むと、補正量調整部８０７は、図９（ｃ）の特性線９０２で示されるような色抑圧特性の傾きの時間的変化の情報を取得する。ここで、色抑圧特性とは、図５に示した勾配値Ａと抑圧係数αの特性である。以下、図５に示した勾配値と抑圧係数の特性を色抑圧特性と呼ぶ。色抑圧特性の傾きの時間変化特性の情報は、デューティ比と透過率変化の時間的関係をあらかじめ測定しておき、不揮発性メモリ５６に保存しておくなどすればよい。
【００６２】
次に、ステップＳ１０１０において、補正量調整部８０７は、時間Ｔ１が経過しているかを判定する。補正量調整部８０７は、時間Ｔ１が経過していない場合にはステップＳ１０１０の時間経過の判定を繰り返す。
そして、補正量調整部８０７は、時間Ｔ１が経過した場合にはステップＳ１０１１へ処理を進め、図９（ｃ）の色抑圧特性の傾きに基づいて、係数算出部２０３の色抑圧係数を線形補間処理により変更する。
【００６３】
次に、ステップＳ１０１２において、補正量調整部２０７は、時間Ｔ２が経過したか否かを判定する。補正量調整部８０７は、時間Ｔ２が経過していない場合にはステップＳ１０１１に処理を戻し、経過時間に応じた線形補間処理をステップＳ１０１１にて行う。
そして、補正量調整部８０７は、時間Ｔ２が経過した場合にはステップＳ１０１３へ処理を進め、図９（ｃ）の色抑圧特性の傾きに基づいて、係数算出部２０３の色抑圧係数を目標値である目標色抑圧係数ＴＢ（ｂ２）の値へ変更する。
【００６４】
第２の実施形態においては、前述したような色滲み補正量の変更制御を行うことにより、可変ＮＤ１０４の透過率の時間的変化の応答特性を考慮した色滲み補正処理を行うことができるため、色滲み補正の過補正を防ぐことが可能となる。
なお第２の実施形態では、色滲み補正量は、図９（ｃ）に示した一つの折れ線で表される特性線９０２による線形補間で求められているが、この例に限定されるものではない。例えば、デューティ比と透過率の時間的変化の応答特性にあわせて、複数の折れ線で表される特性線による線形補間で色滲み補正量が求められてもよいし、その他補間処理が適用されてもよく、補間処理の特性は特に限定されるものではない。
【００６５】
前述した実施形態のカメラ１００は、デジタルビデオカメラを例として挙げることができるが、デジタル一眼レフカメラやミラーレス一眼カメラ、コンパクトデジタルカメラ等であってもよい。その他、車載カメラや監視カメラ、医療用カメラ、工業用カメラ、パーソナルコンピュータ、タブレット端末、スマートフォン、携帯ゲーム機に搭載されたカメラなどにも本発明は適用可能である。
【００６６】
本発明は、上述の実施形態の１以上の機能を実現するプログラムを、ネットワーク又は記憶媒体を介してシステム又は装置に供給し、そのシステム又は装置のコンピュータにおける一つ以上のプロセッサがプログラムを読出し実行する処理でも実現可能である。また、１以上の機能を実現する回路（例えば、ＡＳＩＣ）によっても実現可能である。
上述の実施形態は、何れも本発明を実施するにあたっての具体化の例を示したものに過ぎず、これらによって本発明の技術的範囲が限定的に解釈されてはならないものである。即ち、本発明は、その技術思想、又はその主要な特徴から逸脱することなく、様々な形で実施することができる。
【符号の説明】
【００６７】
２４：画像処理部、５０：システム制御部、１０４：可変ＮＤ、２０３：係数算出部、２０７：補正量調整部、２０８：色抑圧処理部、２１０：透過率取得部、２１１：透過率制御部
【図１】
2020174317.tif 000003
【図２】
2020174317.tif 000004
【図３】
2020174317.tif 000005
【図４】
2020174317.tif 000006
【図５】
2020174317.tif 000007
【図６】
2020174317.tif 000008
【図７】
2020174317.tif 000009
【図８】
2020174317.tif 000010
【図９】
2020174317.tif 000011
【図１０】
2020174317.tif 000012